(57)【要約】【課題】  遊技機盤面上の釘の調整を容易かつ正確に行えるようにするための技術を提供する。【解決手段】  障害釘が多数打ち込まれた遊技機盤面の画像であり、障害釘の配置態様についての情報が含まれた盤面画像６１を生成する。次いで、調整した後の障害釘の位置・角度などを示す調整用画像６２を生成する。次いで、盤面画像６１と調整用画像６２とを、位置に関して対応付けて重ね合わせてから、障害釘の調整を行う調整者に視覚的に表示する。調整者は、盤面画像６１中の障害釘を調整用画像中の障害釘の画像に一致させるように障害釘を調整するだけで、障害釘の調整を行える。【選択図】  図６
2005143827.tif 000002
【特許請求の範囲】
【請求項１】
遊技機が備える多数の障害釘が設けられた盤面の一部であり、障害釘の調整の対象となる調整対象範囲を画定する手段と、
前記調整対象範囲にある障害釘の配置態様に関する盤面情報を取得する取得手段と、
前記障害釘を調整する際の指標となる調整後の障害釘である調整後釘の配置態様に関する調整用情報であって、前記調整対象範囲を少なくとも含む範囲についてのものを生成する生成手段と、
前記盤面情報と前記調整用情報とを、それらが位置的に対応付けられ、且つ重ね合わせられた状態で、前記障害釘の調整を行う調整者に視覚的に提示する提示手段と、
を有する、遊技機の釘調整システム。
【請求項２】
前記生成手段は、前記調整対象範囲内に仮想的な複数の盤面基準部を定め、当該複数の盤面基準部についての情報に基いて、前記調整用情報を生成するようになっている、
請求項１記載の遊技機の釘調整システム。
【請求項３】
前記生成手段は、前記複数の盤面基準部とそれぞれ対応付けられた複数の調整基準部についての情報を含むものとして前記調整用情報を生成するようになっており、
前記提示手段は、対応付けられた前記複数の盤面基準部についての情報と、前記調整基準部についての情報とに基いて、前記盤面情報と前記調整用情報とを位置的に対応付けるようになっている、
請求項２記載の遊技機の釘調整システム。
【請求項４】
前記提示手段は、前記提示手段が前記調整者の視野内に位置するようにして前記調整者の頭部に装着されるようになっている、
請求項１記載の遊技機の釘調整システム。
【請求項５】
前記提示手段は、前記調整対象範囲からの光をそれを透過させて前記調整者の眼へ導くことで、前記盤面情報を前記調整者に視覚的に提示させるとともに、反射させて前記調整者の眼へ導くことで、前記調整用情報を前記調整者に視覚的に提示させるようになっている、
請求項４記載の遊技機の釘調整システム。
【請求項６】
遊技機が備える多数の障害釘が設けられた盤面の一部であり、障害釘の調整の対象となる調整対象範囲を画定する手段と、
前記調整対象範囲にある障害釘の配置態様に関する盤面情報を取得する取得手段と、
前記障害釘を調整する際の指標となる調整後の障害釘である調整後釘の配置態様に関する調整用情報であって、前記調整対象範囲を少なくとも含む範囲についてのものを生成する所定の生成装置から、前記調整用情報を受付ける手段と、
前記盤面情報と前記調整用情報とを、それらが位置的に対応付けられ、且つ重ね合わせられた状態で、前記障害釘の調整を行う調整者に視覚的に提示する提示手段と、
を有する、遊技機の釘調整用具。
【請求項７】
遊技機が備える多数の障害釘が設けられた盤面の一部であり、障害釘の調整の対象となる調整対象範囲を画定する手段と、制御手段とを備えている遊技機の釘調整システムにて実行される方法であって、
前記制御手段が、
前記調整対象範囲が前記盤面のどこに位置するかという情報と、前記調整対象範囲にある障害釘の配置態様に関する盤面情報とを取得する過程と、
前記障害釘を調整する際の指標となる調整後の障害釘である調整後釘の配置態様に関する調整用情報であって、前記調整対象範囲を少なくとも含む範囲についてのものを生成する過程と、
前記盤面情報と前記調整用情報とを、それらが位置的に対応付けられ、且つ重ね合わせられた状態で、前記障害釘の調整を行う調整者に視覚的に提示するようにする過程と、
を実行する、遊技機の釘調整方法。
【発明の詳細な説明】
【技術分野】
【０００１】
本発明は、パチンコ遊技機等の盤面に多数立設された釘の位置、間隔、角度等を調整するための技術に関するものである。
【背景技術】
【０００２】
パチンコ遊技機には、ガラスとその間を球が通過する盤面が設けられており、その盤面には、天釘を始めとする多数の釘（障害釘）が設けられている。広く知られているように、これら盤面に立設された障害釘の位置、間隔、角度等を調整することにより、パチンコ遊技機における球の動きに変化を与えられるようになる。
これにより、パチンコ遊技機の出玉率が増減させられるのであるが、パチンコ遊技においては出玉率は店の経営に大きな影響を与える。
従って、パチンコ遊技機の釘の調整には細心の注意が支払われている。
【０００３】
従来、パチンコ遊技機の障害釘の調整は、例えば釘師と呼ばれるような専門家が、特殊な工具を用いることによって行われている。つまり、パチンコ遊技機の障害釘の調整には、長年の経験と勘が必要とされ、熟練のない者が行うことは極めて困難である。
【発明の開示】
【発明が解決しようとする課題】
【０００４】
本発明は、かかる問題点を解決しようとするものであり、熟練のない者でも障害釘の調整を容易、且つ正確に行えるようにするための技術を提供することをその課題としている。
【課題を解決するための手段】
【０００５】
かかる課題を解決するために、本願発明者は以下の発明を提案する。
本願発明者が提案するのは、遊技機が備える多数の障害釘が設けられた盤面の一部であり、障害釘の調整の対象となる調整対象範囲を画定する手段と、前記調整対象範囲にある障害釘の配置態様に関する盤面情報を取得する取得手段と、前記障害釘を調整する際の指標となる調整後の障害釘である調整後釘の配置態様に関する調整用情報であって、前記調整対象範囲を少なくとも含む範囲についてのものを生成する生成手段と、前記盤面情報と前記調整用情報とを、それらが位置的に対応付けられ、且つ重ね合わせられた状態で、前記障害釘の調整を行う調整者に視覚的に提示する提示手段と、を有する、遊技機の釘調整システムである。
この遊技機の釘調整システムは、障害釘を含む実際の盤面の情報である盤面情報と、障害釘を調整する際の指標となる調整後の障害釘である調整後釘の配置態様に関する調整用情報とを、位置的に対応付けられ、且つ重ね合わせられた状態で、調整者に視覚的に提示するようになっている。したがって、調整者は、実際の障害釘の位置、傾き、間隔等を調整するにあたって、これと同時に提示されている調整用情報を利用できることになる。これにより、この遊技機の釘調整システムによれば、熟練のない者でも障害釘の調整を容易、且つ正確に行えるようになる。
【０００６】
盤面情報と調整用情報は、上述のように、調整者に提示されるにあたり、位置的に対応付けられ、且つ重ね合わせられた状態で調整者に提示される。
要するに、提示手段においては、盤面情報と調整用情報の位置合わせが行われるのであるが、これはどのような仕組みにより行われても構わない。
例えば、前記生成手段は、前記調整対象範囲内に仮想的な複数の盤面基準部を定め、当該複数の盤面基準部についての情報に基いて、前記調整用情報を生成するようにすることで、盤面情報と調整用情報の位置合わせを行える。
この場合、前記生成手段は、更に、前記複数の盤面基準部とそれぞれ対応付けられた複数の調整基準部についての情報を含むものとして前記調整用情報を生成するようになっていてもよい。このとき、前記提示手段は、対応付けられた前記複数の盤面基準部についての情報と、前記調整基準部についての情報とに基いて、前記盤面情報と前記調整用情報とを位置的に対応付けるようになっている。
【０００７】
上述した盤面情報は、所定の撮像装置により撮像され、一旦電気的な信号に変化した後に画像化されてから調整者の眼に導かれた画像でも構わないし、盤面から光の状態のまま調整者の眼に導かれる光でも構わない。
後者の場合、前記提示手段は、前記調整対象範囲からの光をそれを透過させて前記調整者の眼へ導くことで、前記盤面情報を前記調整者に視覚的に提示させるとともに、反射させて前記調整者の眼へ導くことで、前記調整用情報を前記調整者に視覚的に提示させるように構成することができる。
【０００８】
前記提示手段は、また、前記提示手段が前記調整者の視野内に位置するようにして前記調整者の頭部に装着されるように構成することができる。このようにすれば、調整者の両手が空くため、障害釘の調整を行い易くなる。
【０００９】
本願発明者は、また、遊技機が備える多数の障害釘が設けられた盤面の一部であり、障害釘の調整の対象となる調整対象範囲を画定する手段と、その調整対象範囲にある障害釘の配置態様に関する盤面情報を取得する取得手段と、前記障害釘を調整する際の指標となる調整後の障害釘である調整後釘の配置態様に関する調整用情報であって、前記調整対象範囲を少なくとも含む範囲についてのものを生成する所定の生成装置から、前記調整用情報を受付ける手段と、前記盤面情報と前記調整用情報とを、それらが位置的に対応付けられ、且つ重ね合わせられた状態で、前記障害釘の調整を行う調整者に視覚的に提示する提示手段と、を有する、遊技機の釘調整用具を提案する。
本願発明者は、また、遊技機が備える多数の障害釘が設けられた盤面の一部であり、障害釘の調整の対象となる調整対象範囲を画定する手段と、制御手段とを備えている遊技機の釘調整システムにて実行される方法であって、前記制御手段が、前記調整対象範囲が前記盤面のどこに位置するかという情報と、前記調整対象範囲にある障害釘の配置態様に関する盤面情報とを取得する過程と、前記障害釘を調整する際の指標となる調整後の障害釘である調整後釘の配置態様に関する調整用情報であって、前記調整対象範囲を少なくとも含む範囲についてのものを生成する過程と、前記盤面情報と前記調整用情報とを、それらが位置的に対応付けられ、且つ重ね合わせられた状態で、前記障害釘の調整を行う調整者に視覚的に提示するようにする過程と、を実行する、遊技機の釘調整方法を提案する。
これらによっても、熟練のない者でも障害釘の調整を容易、且つ正確に行えるようになる。
【００１０】
尚、この釘調整用具の提示手段は、上述した釘調整システムの提示手段と同様のものとすることができる。
【発明を実施するための最良の形態】
【００１１】
以下、図面を用いて本願発明についての好ましい一実施形態を説明する。
【００１２】
この実施形態における遊技機の釘調整システムを概略で示したのが図１である。この釘調整システムには、本願発明の釘調整用具１０と画像生成装置２０が含まれている。
【００１３】
この実施形態における釘調整用具１０の構成を、図２に概略的に示す。釘調整用具１０は、表示部１１を備えている。尚、図２（ａ）は、本実施形態の遊技機の釘調整用具１０を調整者３０の頭部３１に装着した状態を正面から見た図であり、図２（ｂ）はその状態を側面から見た図である。
【００１４】
表示部１１は、図３に示したように、ケース状に形成されており、その前面に開口１１ａが設けられている。表示部１１は、また、その内部に、画像表示部１５と、ハーフミラー１６を備えている。
画像表示部１５は、所定の画像を表示する機能を有しており、例えば液晶ディスプレイにて構成されている。
ハーフミラー１６は、そこに到達する光の略半分を透過し、略半分を反射するものである。したがって、開口１１ａからハーフミラー１６に到達した光の略半分はそれを透過して、表示部１１からハーフミラー１６に到達した光の略半分はそれで反射されて、図３に矢示した方向で進むことになる。
この実施形態において、画像表示部１５で表示された画像は、ハーフミラー１６により反射されることになる。このように、光路上でなされる反射が奇数回の場合には、最終的な画像は画像表示部１５に表示されたものと反転したものとなる。そこで、そのような場合には、画像表示部１５で表示する画像を、当初から反転させておけばよい。この実施形態ではそのようにしてある。尚、画像を反転させる方法としては、画像表示部１５の直前において映像をフレームメモリなどに蓄積し反転させる方法や、画像表示部１５内部で画面を描画する際の走査方向を反転させるなどの方法を採用することができる。
また、この実施形態におけるハーフミラー１６は、平板状であるが、これに代えて凹面、若しくは凸面のものを用いることもできる。その場合には、透過光の屈折の影響を補正すると効果的である。補正を行うには、ハーフミラー１６の前方、又は後方に補正用の光学素子を挿入するなどすればよい。
【００１５】
表示部１１の外側には、また、装着部１２が備えられている。装着部１２は、釘調整用具１０を、釘の調整を行う調整者３０の頭部３１に固定するためのものであり、この実施形態ではベルト状に形成されている。釘調整用具１０は、その使用時には、図２に示したように、調整者３０の頭部３１に取り付けられる。
尚、この実施形態における釘調整用具１０は、図２に示すように、調整者３０の頭部３１に装着された状態で調整者３０の左眼の前方に位置するようになっている。したがって、装着部１２は、それが可能なように構成されている。もっとも、図示を省略するが、調整者３０の両方の眼の前にそれぞれの眼から見えるように複数（例えば２つ）の表示部１１が設けられていても構わない。
【００１６】
表示部１１の外側には、また、撮像部１３が設けられている。撮像部１３は、遊技機５０の盤面のうち、そこに設けられた障害釘の調整の対象となる範囲である調整対象範囲を少なくとも撮像できるようなものとなっている。この実施形態における撮像部１３は、恒常的な動画の撮像を行うビデオカメラにて構成されており、上述した調整対象範囲を少なくとも撮像できるように、その向きが調整されている。尚、撮像部１３は、調整者３０の操作により任意のタイミングで撮像を行うようなものでもよく、あるいは特定のタイミング（例えば、釘調整用具１０と遊技機５０の位置関係がずれた場合など。）に撮像を行うようなものであってもよい。
表示部１１の外側には、また、送受信部１４が設けられている。送受信部１４は、撮像部１３及び画像表示部１５と接続されている。送受信部１４は、撮像部１３が撮像した画像についてのデータを、画像生成装置２０へと送信する機能と、画像生成装置２０で生成された、後述する調整用画像についてのデータを受信する機能を併せ持っている。送受信部１４と、画像生成装置２０との間で行われる、上述した如きデータの送受信は、無線もしくは有線により、より具体的には、ｂｌｕｅｔｏｏｔｈ（商標）などを用いて実現される。
【００１７】
次に、画像生成装置２０について説明する。画像生成装置２０は、釘調整用具１０の表示部１１内で表示される、より詳細には画像表示部１５で表示される調整用画像（これについては後述する）を生成する機能を有している。
【００１８】
この画像生成装置２０は、図示を省略するＣＰＵ、ＲＯＭ、ＲＡＭ、インタフェースを備えたコンピュータ、例えば家庭用・業務用の汎用コンピュータにより構成することができる。画像生成装置２０は、上述したコンピュータのハードを、以下に述べる機能を実行しうるものとして構成することにより得ることもできるが、例えばＣＤ−ＲＯＭなどの記録媒体に記録されたコンピュータ・プログラムを読み込ませることによっても得ることができる。この実施形態では、コンピュータに、ＣＤ−ＲＯＭに記録されたコンピュータ・プログラムを読み込ませることによって、画像生成装置２０を構成することとしている。
【００１９】
コンピュータにコンピュータ・プログラムを読み込ませると、画像生成装置２０の内部には、図４に示す、制御部２１、記録部２２、入出力部２３、基準情報生成部２４、調整用画像生成部２５の各機能ブロックが生成される。
【００２０】
制御部２１は、入出力部２３からの情報に基づき所定の処理を行い、記録部２２への記録、あるいは入出力部２３を介して所定の情報の出力等を行う。詳しくは後述する。
尚、入出力部２３は、上述したインタフェースと接続された図示せぬ送受信用装置（例えばアンテナ、ケーブルなど）を介して釘調整用具１０の送受信部１４と、データの送受信を行えるようになっている。
記録部２２は、後述する調整用画像を生成するためのデータ、後述するような調整用画像の位置合わせを実行する際の基準となる基準情報などを生成するためのものであり、これらを生成するために必要な遊技機盤面についての情報や、理想的な障害釘の位置、角度などについての情報を格納している。尚、記録部２２に、入賞確率と、その入賞確率を実現するに理想的な障害釘の位置、角度などについての情報を格納させておくこともできる。
入出力部２３は、釘調整用具１０との間でデータの送受信を行うものである。尚、入出力部２３は、これに加えて、出力デバイスへの出力を行ったり、キーボードやマウスなどの入力デバイスからの入力受付けを行ったりする。入力デバイスから受付けた情報は、例えば、以下のように用いることができる。入力デバイスから受付ける情報を調整者が望む入賞確率についての情報とし、記録部２２に記録された理想的な障害釘の位置、角度などについての情報を制御部２１が読み出す際に、その入賞確率を実現するのに適したものを読み出すようにするのである。これにより、調整用情報をきめ細かに制御できるようになる。
基準情報生成部２４は、生成する調整用画像の位置合わせを行うときに必要な盤面基準部、及び調整基準部（いずれも後述する。）についての情報を、記録部２２のデータに基づいて生成するものである。
調整用画像生成部２５は、基準情報生成部２４により生成された基準部についてのデータと、記録部２２に記録されたデータとに基いて、調整用画像についてのデータを生成するものである。
【００２１】
次に、この釘調整システムの使用方法、動作について説明する。
この釘調整システムを用いて障害釘の調整を行うには、まず、図１、及び図２に示したように、調整者３０がその頭部３１に釘調整用具１０を装着する。釘調整用具１０の装着は、装着部１２を用いて行う。障害釘の調整対象となる遊技機５０は、盤面５１を備えており、この盤面５１には、多数の障害釘５２が打ち込まれている。
【００２２】
次いで、その状態で、調整者３０は調整対象範囲を見る。このとき調整者３０は、開口１１ａを通して、調整対象範囲を見るようにする。これにより、調整対象範囲が画定されることになる。
これと同時に、撮像部１３による撮像が行われる。撮像部１３は、上述したように、調整対象範囲の撮像を行うようになっている。ここで撮像された画像は、盤面画像６１であり、図６（ａ）に例示したようなものとなる。盤面画像６１のうち、６１ａは、障害釘５２の画像である。
撮像された盤面画像６１についてのデータは、釘調整用具１０の送受信部１４を介して、画像生成装置２０へと送られる。
入出力部２３を介して制御部２１が受付けた盤面画像６１についてのデータに基づいて、制御部２１にて調整用画像が生成される。
【００２３】
画像生成装置２０において調整用画像６２が生成される場合の処理の流れは、図５の処理フローに示したようなものである。
【００２４】
画像生成装置２０では予め制御部２１が、調整者３０が調整する遊技機５０に関する情報を記録部２２から読み込んでおく（Ｓ１０１）。
【００２５】
ここで画像生成装置２０は、盤面画像６１を読み込む（Ｓ１０２）。そして、読み込んだ盤面情報に相当する盤面画像６１についてのデータに基づいて、制御部２１は、その盤面画像６１に含まれる範囲（これに調整対象範囲が含まれる。）が、盤面５１のどの部分に相当するのかを判断する。これは、予め読み込んでおいた遊技機５０の盤面５１についてのデータと、盤面画像６１とを対比することにより行うことができる。
【００２６】
次いで、制御部２１の基準情報生成部２４は、前記調整対象範囲内に仮想的な複数の盤面基準部を定め、盤面基準部についての盤面基準情報を生成する（Ｓ１０３）。図６（ａ）中、６１ｂが盤面基準部である。盤面基準部６１ｂは、どのように決定されてもよいが、この実施形態では、盤面情報に含まれた図示を省略の特定の障害釘の根元の位置として決定されるようになっている。
【００２７】
次いで、調整用画像生成部２５は、盤面画像６１に含まれる範囲（これに調整対象範囲が含まれる。）が、盤面５１のどの部分に相当するのかという情報に基いて、その範囲の調整用情報を記録部２２から読み出して、図６(ｂ)に示すような、調整用画像６２を生成する。調整用画像６２は、障害釘５２の調整の基準となる調整後釘６２ａの配置態様に関するものであり、調整用情報に相当する。この調整用画像６２は、現実の盤面（ないし、その画像）と区別し易いものがよく、例えば模擬的な絵や記号などとして生成するのがよい。このようにして調整用画像６２が生成される（Ｓ１０４）。尚、この実施形態における調整後釘６２ａの画像は、調整後釘６２ａの頭部の位置を示す●にて表示されている。
【００２８】
次いで、基準情報生成部２４は、この調整用画像６２中で、上述した盤面基準部のそれぞれと対応した複数の調整基準部６２ｂを決定し、これら調整基準部についての情報を生成する（Ｓ１０５）。調整基準部は、この実施形態では、その根元が盤面基準部となった障害釘と対応した障害釘であって、調整用画像６２中に含まれるものの根元の位置に対応して決定される。
【００２９】
そして、制御部２１は、調整用画像６２と盤面画像６１の位置合わせと、座標変換を行う（Ｓ１０６）。この位置合わせは、盤面基準部６１ｂと、そのそれぞれに対応した調整基準部６２ａとを、それぞれ重ね合わせることにより行う。
【００３０】
そして、制御部２１は、入出力部２３を介して、位置合わせの行われた調整用画像６２についてのデータを、釘調整用具１０へと送出する（Ｓ１０７）。
【００３１】
釘調整用具１０では、これを受け付け、調整用画像６２を表示部１１の画像表示部１５に表示する。調整者３０の眼３２には、画像表示部１５に表示されている調整用画像６２と、実際にハーフミラー１６を通して見える盤面５１とを合わせたものが、図６（ｃ）に例示したように見えることになる。この場合、障害釘６１ａはハーフミラー１６を通して見える実際の盤面５１上のもの、調整後釘６２ａの画像は画像生成装置２０にて生成されたデータに基づくものである。
調整者３０は、図６（ｃ）に示されたものを見ながら、障害釘５２の調整を行う。障害釘５２の調整は、実際の障害釘５２を、調整後釘６２ａと一致させるように行えばよい。
これを繰り返すことで、障害釘５２の調整を容易に行えるようになる。
【００３２】
尚、本実施形態では、画像表示部１５に表示されている調整用画像６２の調整基準部６２ｂと、実際の盤面５１の盤面基準部６１ｂとを重ね合わせることで、調整用画像６２の位置合わせを実現するようにするために、調整者３０が実際に頭部３１や立ち位置等を調節するようにしている。
しかしながら、これに代えて、頭部３１の動いたときに生ずる画像表示部１５に表示されている調整用画像６２の調整基準部６２ｂと、実際の盤面５１の盤面基準部６１ｂとのズレを見て、例えば制御部２１が、自動的に画像表示部１５に表示される調整用画像６２の位置とハーフミラー１６を通して見える盤面５１とが一致するように制御するような構成にしてもよい。
この際、釘調整用具１０の表示部１１側で自動的に位置調整する構成にしてもよく、あるいは画像生成装置２０側で随時調整用画像６２を生成する構成にしてもよい。更に、画像表示部１５に表示されている調整用画像６２の調整基準部６２ｂと実際の盤面５１の盤面基準部６１ｂとのズレ（距離）が予め定めておいた閾値を超えたら画像生成装置２０側で随時調整用画像６２を生成し、超えていない場合は釘調整用具１０の表示部１１側で自動的に位置調整を行えるようにしてもよい。
【００３３】
また本実施形態では、画像生成装置２０を釘調整用具１０と分けた構成にしているが、画像生成装置２０の機能の一部または全部を釘調整用具１０もしくは表示部１１に組み込むことも可能である。これによれば、通信処理を省くことができ、より高速な処理を実現できるようになる可能性がある。
【００３４】
本実施形態では、画像生成装置２０の制御部２１で生成された調整用画像６２は、調整後釘６２ａの位置を示すようなものとして生成され、そして、それを表示部１１の画像表示部１５に表示することで、調整者３０の眼３２には、ハーフミラー１６を通して見える盤面５１の様子と画像表示部１５の調整用画像６２の様子とが合わさって見えることになる。
もっとも、本願発明は、調整用画像６２自体上に調整後釘６２ａと障害釘５２とを同時に表示するようにしてもよい。その場合には、画像生成装置２０の制御部２１は、盤面画像６１と調整用画像６２を重ね合わせた画像を生成する。そして、この場合には、ハーフミラー１６を用いず、図３のハーフミラー１６の位置に画像表示部１５を配置し、画像表示部１５を直接調整者３０が見るようにする。かかる構成にした場合、画像生成装置２０の制御部２１は随時調整用画像６２を生成して、当該調整用画像６２を画像表示部１５に表示させるようにすることができる。
【００３５】
また、本実施形態では、盤面５１を二次元的に捉えて調整用画像６２を画像生成装置２０の制御部２１で二次元的に生成し、それを画像表示部１５に表示しているが、これに代えて、調整用画像６２を三次元的に生成してもよい。三次元表示することにより、調整者３０はより細かい調整作業をすることが可能になる。
三次元表示を行った場合に調整者が見る像の一例を図７に示す。図７は、盤面５１を側面から見た状態を示している。図７中５２が調整用釘であり、６３が立体的に表示された調整後釘の画像である。
【図面の簡単な説明】
【００３６】
【図１】本発明の実施形態である、釘調整システムの概略を示した図である。
【図２】本発明の実施形態である、釘調整用具を頭部に装着した様子を示した図である。
【図３】表示部の概略を示した図である。
【図４】画像生成装置の機能ブロックを示した図である。
【図５】画像生成装置の処理フローを示した図である。
【図６】（ａ）は盤面画像の一例であり、（ｂ）は調整用画像の一例であり、（ｃ）は調整者が見る像の一例である。
【図７】遊技機の盤面を側面から見た場合の図である。
【符号の説明】
【００３７】
１０  釘調整用具
１１  表示部
１１ａ  開口
１２  装着部
１３  撮像部
１４  送受信部
１５  画像表示部
１６  ハーフミラー
２０  画像生成装置
２１  制御部
２２  記録部
２３  入出力部
２４  基準情報生成部
２５  調整用画像生成部
３０  調整者
３１  頭部
３２  眼
５０  遊技機
５１  盤面
５２  障害釘
６１  盤面画像
６２  調整用画像
６２ａ  調整後釘
【図１】
2005143827.tif 000003
【図２】
2005143827.tif 000004
【図３】
2005143827.tif 000005
【図４】
2005143827.tif 000006
【図５】
2005143827.tif 000007
【図６】
2005143827.tif 000008
【図７】
2005143827.tif 000009